(57)【特許請求の範囲】
【請求項１】
複数の円柱状物体を収納する外装箱と共に用いられ、前記各円柱状物体の側面の保護を行う矩形の仕切板であって、
縦方向に形成された２本の縦谷折り部分と、
前記２本の縦谷折り部分に対し両外側に相互に等しい距離離間した位置に、縦方向に形成された２本の縦山折り部分と、を備え、
前記２本の縦谷折り部分の間を残すようにして、縦方向において相互に同じ位置に、横方向に形成された２本の第１横切断部分と、前記２本の縦山折り部分の間に横方向に形成された第２横切断部分とが、自身の横方向の各辺から縦方向に等ピッチで交互に設けられ、
前記２本の第１横切断部分に対し、縦方向において相反する方向に相互に等しい微小距離位置ずれした位置に、前記２本の縦谷折り部分の間に横方向に２本の横山折り部分が形成され、
前記第２横切断部分に対し、縦方向において同じ位置に、前記２本の縦山折り部分の両外側に横方向に形成された２本の横谷折り部分が形成されている
ことを特徴とする仕切板。
【請求項２】
請求項１記載の仕切板において、
前記円柱状物体は、情報記録媒体を複数積層させたものを包装した円柱状包装体である
ことを特徴とする仕切板。
【請求項３】
請求項１または２記載の仕切板において、
前記仕切板は、紙材又はプラスチックで形成される
ことを特徴とする仕切板。
【発明の詳細な説明】
【０００１】
【発明の属する技術分野】
本発明は、円柱状物体を収納する外装箱に関するものであり、特に、ＣＤ、ＣＤ−Ｒ、及びＤＶＤ等の円盤状の情報記録媒体を収納する際に複数積層させ、それを包装した円柱状包装体を収納する外装箱に関する技術である。
【０００２】
【従来の技術】
情報記録媒体は、圧迫や衝撃によって情報記録部を損傷しやすく、収納する際には損傷のおそれのないようにしなければならない。収納方法としては、円盤状の情報記録媒体を複数積層させ、それを円柱状に包装したものを外装箱に収納する方法が一般的である。
物体を収納する外装箱は一般的に、物体と物体との間に仕切板を用いて隙間を無くし、物体の損傷を防止するが、特に、情報記録媒体はデリケートであるため、情報記録媒体を収納する外装箱は、仕切板に関してコスト高及び作業面での負荷がかかってしまうという問題点がある。
【０００３】
特開平７−３２９９５３号公報では、円柱状の瓶又は瀬戸物等損傷しやすい物体を収納する外装箱の技術として、支持板に円柱状物体の円と等しい大きさの孔を設け、円柱状物体が複数箇所で支持板に支持されるよう支持板を折り畳んで積層化した技術を提案している。上記技術では、円柱状物体を収納した状態で外装箱を落下させても損傷を与えない程度に、確実に固定、支持することができる。
しかしながら、上記技術によれば、孔の寸法が正確でなければならず、又、様々な寸法の円柱状物体に対応することが困難である。
【０００４】
【発明が解決しようとする課題】
上記問題点に鑑み、本発明は、円柱状物体が損傷することなく収納可能であり、仕切板のコスト及び作業負荷を低減した、円柱状物体を収納する外装箱を提供することを課題とし、特に、情報記録媒体を複数積層させ包装した円柱状物体を収納する外装箱を提供することを課題とする。
【０００５】
【課題を解決するための手段】
上記課題を解決するために、本発明は、複数の円柱状物体を収納する外装箱と共に用いられ、前記各円柱状物体の側面の保護を行う矩形の仕切板であって、縦方向に形成された２本の縦谷折り部分と、前記２本の縦谷折り部分に対し両外側に相互に等しい距離離間した位置に、縦方向に形成された２本の縦山折り部分と、を備え、前記２本の縦谷折り部分の間を残すようにして、縦方向において相互に同じ位置に、横方向に形成された２本の第１横切断部分と、前記２本の縦山折り部分の間に横方向に形成された第２横切断部分とが、自身の横方向の各辺から縦方向に等ピッチで交互に設けられ、前記２本の第１横切断部分に対し、縦方向において相反する方向に相互に等しい微小距離位置ずれした位置に、前記２本の縦谷折り部分の間に横方向に２本の横山折り部分が形成され、前記第２横切断部分に対し、縦方向において同じ位置に、前記２本の縦山折り部分の両外側に横方向に形成された２本の横谷折り部分が形成されていることを特徴とする仕切板である。
【０００６】
本発明は、上記記載の仕切板において、前記円柱状物体は、情報記録媒体を複数積層させたものを包装した円柱状包装体であることを特徴とする仕切板である。
とする。
【０００７】
本発明は、上記記載の仕切板において、前記仕切板は、紙材又はプラスチックで形成されることを特徴とする仕切板である。
【０００８】
【発明の実施の形態】
以下より、本発明の実施の形態について図に基づき説明する。
図１は本発明の円柱状物体を収納する外装箱の一例を示す斜視図であり、図２は円柱状物体を外装箱に収納した様子を示す平面図である。
円柱状物体１の収納の手順としては、仕切板２を外装箱３内にセットし、収納部分の位置決めを行い、円柱状物体１を収納する。
【０００９】
図３は仕切板２の一例を示す図であり、（ａ）は平面図、（ｂ）は斜視図、（ｃ）は展開図である。
仕切板２の材質は、紙材又はプラスチック等、安価で適度な柔軟性があり、型くずれしない材質のものが好ましい。
仕切板２は１枚の板を部分的に切断又は折り曲げて形成される。１枚の仕切板２を簡単な加工で形成することにより、僅かな寸法差であれば調節可能であり、作業面での負荷がかかることなく効率よく円柱状物体１を収納することができる。
【００１０】
円柱状物体１が情報記録媒体を積層させたものを包装した円柱状包装体である場合は、情報記録媒体の寸法が一定しているため仕切板２の寸法も一定であるが、本発明によれば情報記録媒体の寸法に限定されることなく、様々な寸法の円柱状物体１を収納することができる。
また、本発明によれば、図４に示すように、１枚の板からいくつでも仕切板２を形成することが可能であり、１つずつ形成しても良いし、外装箱３の寸法に合わせて複数連ねて形成しても良い。
【００１１】
なお、本発明では一例として収納部分の断面形状が六角形のものについて説明したが、本発明はこれに限定されるものではなく、断面形状が三角形以上の多角形であれば、円柱状物体１を損傷させることなく安定して固定することができる。
多角形が円に近い程円柱状物体１の側面と接する箇所が増え、安定して固定することができるが、仕切板２の折り曲げる箇所が増えるため、作業負荷も考慮に入れなければならない。
【００１２】
（実施例）
図５に本発明の仕切板２の寸法を一例として示す。（ａ）は斜視図であり、（ｂ）は展開図である（単位：ｍｍ）。本実施例の収納部分の断面形状は六角形である。
【００１３】
【発明の効果】
以上説明したように、本発明によれば、圧迫や衝撃によって損傷しやすい円柱状物体を、損傷させることなく複数収納でき、コスト及び作業負荷を抑え、様々な寸法の円柱状物体を収納可能な、円柱状物体を収納する外装箱を仕切る仕切板を提供することができる。
以上
【図面の簡単な説明】
【図１】本発明の円柱状物体を収納する外装箱の一例を示す斜視図である。
【図２】円柱状物体を外装箱に収納した様子を示す平面図である。
【図３】仕切板の一例を示す図であり、（ａ）平面図、（ｂ）斜視図、（ｃ）展開図である。
【図４】仕切板の一例を示す図であり、（ａ）斜視図、（ｂ）展開図である。
【図５】仕切板の寸法の一例を示す図であり、（ａ）斜視図、（ｂ）展開図である。
【符号の説明】
１  円柱状物体
２  仕切板
３  外装箱
【図１】
0003978328.tif 000002
【図２】
0003978328.tif 000003
【図３】
0003978328.tif 000004
【図４】
0003978328.tif 000005
【図５】
0003978328.tif 000006